(57)【要約】【課題】室外機本体の組立工数を削減する。【解決手段】空気調和機の室外機３は、内部の空間が通風室ＳＰ１と機械室ＳＰ２とに分かれており、プロペラファン２９と機械室モジュール８とを備える。プロペラファン２９は、通風室ＳＰ１に配置される。機械室モジュール８は、機械室ＳＰ２に配置される機械室部品２１，２３，２７，２８、６７とプロペラファン２９を駆動するファンモータ３０とがモジュール化されたものである。【選択図】　　　　図３
2004132626.tif 000002
【特許請求の範囲】
【請求項１】
内部の空間が通風室（ＳＰ１）と機械室（ＳＰ２）とに分かれる空気調和機（１）の室外機（３）であって、
前記通風室（ＳＰ１）に配置されるファン（２９）と、
前記機械室（ＳＰ２）に配置される機械室部品（２１−２３，２５，２７，２８，６６，６７）と前記ファン（２９）を駆動するファンモータ（３０）とがモジュール化された機械室モジュール（８）と、
を備える空気調和機（１）の室外機（３）。
【請求項２】
前記機械室モジュール（８）は、正面視における左右方向の略中央に配置される、
請求項１に記載の空気調和機（１）の室外機（３）。
【請求項３】
前記機械室モジュール（８）は、前記ファン（２９）に対向するように配置される、
請求項１または２に記載の空気調和機（１）の室外機（３）。
【請求項４】
間隔を隔てて配置される第１室外熱交換器（２４ａ）と第２室外熱交換器（２４ｂ）とをさらに備え、
前記機械室モジュール（８）は、前記第１室外熱交換器（２４ａ）と前記第２室外熱交換器（２４ｂ）との間に配置される、
請求項３に記載の空気調和機（１）の室外機（３）。
【請求項５】
前記機械室モジュール（８）は、前記通風室（ＳＰ１）と前記機械室（ＳＰ２）とを仕切る仕切り部材（６１）をさらに有し、
前記ファンモータ（３０）は、前記仕切り部材（６１）に取り付けられる、
請求項１から４のいずれかに記載の空気調和機（１）の室外機（３）。
【請求項６】
前記機械室モジュール（８）は、高さ方向に平行な状態で前記機械室（ＳＰ２）に収容される制御基板（６７）を含む、
請求項１から５のいずれかに記載の空気調和機（１）の室外機（３）。
【請求項７】
内部の空間が通風室（ＳＰ１）と機械室（ＳＰ２）とに分かれる空気調和機（１）の室外機（３）の組立方法であって、
前記機械室（ＳＰ２）に配置される機械室部品（２１−２３，２５，２７，２８，６６，６７）とファン（２９）を駆動するファンモータ（３０）とがモジュール化された予め組み立てられている機械室モジュール（８）を取り付けるステップ（Ｓ２２）と、
前記通風室（ＳＰ１）に配置される前記ファン（２９）を取り付けるステップ（Ｓ２３）と、
を備える空気調和機（１）の室外機（３）の組立方法。
【発明の詳細な説明】
【０００１】
【発明の属する技術分野】
本発明は、空気調和機の室外機及び空気調和機の室外機の組立方法に関する。
【０００２】
【従来の技術】
空調調和機の室外機は、例えば、熱交換器、ファン、ファンモータ、圧縮機等の多くの構成部品により構成されている。このような空気調和機の室外機の組立作業時においては、上記の構成部品の取付、各構成部品を繋ぐ冷媒配管の取付、ワイヤハーネスやリード線による結線作業等が必要となる。
【０００３】
一方、室外機の内部の空間は、室外からの空気が通る通風室と、通風室からある程度仕切られた機械室とに分けられていることが多い。この機械室には、上記の構成部品のうち圧縮機等の機械室部品が配置される。
内部の空間が通風室と機械室とに分けられる空気調和機の室外機に関して、機械室部品（圧縮室内部品）からなるユニットを備えた空気調和機の室外機が開示されている（特許文献１参照）。この空気調和機の室外機では、圧縮機等の機械室部品がユニット化されているため、ユニットの組立を室外機本体の組立とは独立して行うことができる。このため、室外機本体の組立の際に、予め組み立てられたユニットを室外機に取り付けることにより、室外機本体の組立工数を削減することができる。
【０００４】
【特許文献１】
特開平７−３５３７６
【０００５】
【発明が解決しようとする課題】
しかし、上述したように、室外機は多数の構成部品により構成されており、機械室部品以外の部品の取付や機械室部品と他の部品との結線作業等、室外機本体の組立には依然として多くの工数が必要である。
本発明の課題は、室外機本体の組立工数を削減することにある。
【０００６】
【課題を解決するための手段】
請求項１に記載の空気調和機の室外機は、内部の空間が通風室と機械室とに分かれる空気調和機の室外機であって、ファンと機械室モジュールとを備える。ファンは、通風室に配置される。機械室モジュールは、機械室に配置される機械室部品とファンを駆動するファンモータとがモジュール化されたものである。
【０００７】
この空気調和機の室外機では、機械室に配置される機械室部品とファンを駆動するファンモータとがモジュール化されている。このため、機械室部品とファンモータとの組立を室外機本体の組立とは独立して機械室モジュールの組立として行うことができる。従って、ファンモータの取付やファンモータと機械室部品との結線作業等を室外機の組立作業とは独立して行うことができる。これにより、この空気調和機の室外機では、室外機本体の組立工数をより削減することができる。
【０００８】
請求項２に記載の空気調和機の室外機は、請求項１に記載の空気調和機の室外機であって、機械室モジュールは、正面視における左右方向の略中央に配置される。
一般に、空気調和機の室外機では、機械室は室外機の左右方向の一方に設けられることが多い。この場合、室外機の左右方向の寸法が大きくなりやすい。
【０００９】
しかし、この空気調和機の室外機では、機械室モジュールは、正面視における左右方向の略中央に配置される。従って、この空気調和機の室外機では、機械室が正面視における左右方向の略中央に設けられる。これにより、この空気調和機の室外機では、左右方向の寸法を小さくすることができる。
請求項３に記載の空気調和機の室外機は、請求項１または２に記載の空気調和機の室外機であって、機械室モジュールはファンに対向するように配置される。
【００１０】
この空気調和機の室外機では、機械室モジュールはファンに対向するように配置される。すなわち、この空気調和機の室外機では、ファンに対向する空間を、機械室が配置される空間として利用している。これにより、この空気調和機の室外機では、室外機の寸法を小さくすることができる。
請求項４に記載の空気調和機の室外機は、請求項３に記載の空気調和機の室外機であって、間隔を隔てて配置される第１室外熱交換器と第２室外熱交換器とをさらに備える。そして、機械室モジュールは、第１室外熱交換器と第２室外熱交換器との間に配置される。
【００１１】
この空気調和機の室外機では、機械室モジュールは、間隔を隔てて配置される第１室外熱交換器と第２室外熱交換器との間に配置される。このため、機械室モジュールが各熱交換器を通る空気の妨げとなる恐れが低減する。これにより、この空気調和機の室外機では、機械室モジュールによる通風抵抗の増大を抑制することができる。
【００１２】
請求項５に記載の空気調和機の室外機は、請求項１から４のいずれかに記載の空気調和機の室外機であって、機械室モジュールは、通風室と機械室とを仕切る仕切り部材をさらに有する。そして、ファンモータは、仕切り部材に取り付けられる。
この空気調和機の室外機では、ファンモータは仕切り部材に取り付けられる。このため、ファンモータを機械室モジュールに一体に固定することが容易となる。
【００１３】
請求項６に記載の空気調和機の室外機は、請求項１から５のいずれかに記載の空気調和機の室外機であって、機械室モジュールは、高さ方向に平行な状態で機械室内に収容される制御基板を含む。
この空気調和機の室外機では、制御基板が高さ方向に平行な状態で機械室内に収容される。このため、制御基板を収容するために必要な機械室の水平方向の面積を小さくすることができる。これにより、この空気調和機の室外機では、水平方向の寸法を小さくすることができる。
【００１４】
請求項７に記載の空気調和機の室外機の組立方法は、内部の空間が通風室と機械室とに分かれる空気調和機の室外機の組立方法であって、機械室内に配置される機械室部品と、ファンを駆動するファンモータとがモジュール化された予め組み立てられている機械室モジュールを取り付けるステップと、通風室に配置されるファンを取り付けるステップとを備える。
【００１５】
この空気調和機の室外機の組立方法では、予め組み立てられている機械室モジュールが取り付けられる。このため、室外機本体の組立の際に、機械室部品とファンモータとの取付や機械室部品とファンモータとを繋ぐ結線作業等を省略することができる。これにより、この空気調和機の室外機では、室外機本体の組立工数をより削減することができる。
【００１６】
【発明の実施の形態】
＜空気調和機の外観概略＞
本発明の一実施形態に係る空気調和機１の外観を図１に示す。
この空気調和機１は、室内の壁面などに取り付けられる室内機２と、室外に設置される室外機３とに分かれて構成されている。
【００１７】
室内機２には室内熱交換器が収納され、室外機３内には室外熱交換器が収納されている。そして、各熱交換器が連絡冷媒配管３１，３２により接続されることにより冷媒回路を構成している。
＜冷媒回路の全体構成＞
図２に、空気調和機１の冷媒回路の全体構成及びその他の構成を示す。
【００１８】
室内機２内には、室内熱交換器１１が収容されており、室内機２内で冷媒回路の一部を構成している。この室内熱交換器１１は、長さ方向両端で複数回折り返されてなる伝熱管と、伝熱管が挿通される複数のフィンとからなり、接触する空気との間で熱交換を行う。また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００１９】
室外機３には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。これらは、室外機３内で冷媒回路の一部を構成している。電動弁２５は、フィルタ２６および液閉鎖弁２７を介して連絡冷媒配管３２に接続されており、この連絡冷媒配管３２を介して室内熱交換器１１の一端と接続される。また、四路切換弁２２は、ガス閉鎖弁２８を介して連絡冷媒配管３１に接続されており、この連絡冷媒配管３１を介して室内熱交換器１１の他端と接続されている。このように、これらの連絡冷媒配管３１，３２は、室内機２内の冷媒回路の構成部品と室外機３内の冷媒回路の構成部品とを連絡している。連絡冷媒配管３１，３２は、室内機２内の制御基板と室外機３内の制御基板とを電気的に接続する図示しない通信線と共に、集合連絡管４を形成する。
【００２０】
また、室外機３内には、室外熱交換器２４での熱交換後の空気を外部に排出するためのプロペラファン２９が設けられている。このプロペラファン２９は、室外ファンモータ３０によって回転駆動される。
＜室外機の構成＞
〔室外機ケーシング〕
室外機３は、図１に示すように、主として前板５１、側板５２，５３、底フレーム５４、天板５５により構成される室外機ケーシング５を備えている。
【００２１】
前板５１は、室外機３の前面を覆う樹脂製の部材である。前板５１には、複数のスリット状の開口からなる吹出口５１ａが設けられており、室外熱交換器２４を通った空気は、室外機３の内部の通風室ＳＰ１からこの吹出口５１ａを通って室外機３の外部へと吹き出す。また、前板５１のすぐ後方には、空気が通る開口を有するベルマウス５６が設けられている（図４参照）。
【００２２】
側板５２，５３には右側板５２及び左側板５３があり、これらは室外機３の側方を覆う部材である。ここでは、室外機３の正面視において右側に右側板５２、左側に左側板５３が設けられている。
底フレーム５４は、室外機３の下方を覆う部材であり、室外熱交換器２４や後述する機械室モジュール８等が取り付けられる。
【００２３】
天板５５は、室外機３の上方を覆う部材であり、室外機ケーシング５の上面を構成する。
なお、室外機３の背面には、図示しない保護金網が設けられている。
〔通風室と機械室〕
図３に室外機３の平面断面図、図４に室外機３の側面断面図を示す。なお、図３及び図４では、理解の容易のために配管や配線の記載が省略されている。
【００２４】
室外機３の内部の空間は、通風室ＳＰ１と機械室ＳＰ２とに分けられている。通風室ＳＰ１は、室外熱交換器２４が配置され室外から取り込まれた空気が十分に通る空間となっている。機械室ＳＰ２は、通風室ＳＰ１から仕切られており、外気からある程度隔離された空間となっている。このため、機械室ＳＰ２には、冷媒回路を構成する構成部品のうち水分に弱い電気部品等が収容される。機械室ＳＰ２は、室外機ケーシング５の正面視における左右方向の略中央にであって背面側に配置されている。従って、機械室ＳＰ２に収容される構成部品も室外機ケーシング５の正面視における左右方向の略中央であって背面側に配置されている。また、機械室ＳＰ２は、室外機ケーシング５の底面から上面までにわたって設けられている。
【００２５】
〔通風室の内部の構成〕
通風室ＳＰ１の内部の構成について主として図３に基づいて説明する。
通風室ＳＰ１には、主として、室外熱交換器２４、プロペラファン２９、室外ファンモータ３０が配置されている。
室外熱交換器２４は、第１室外熱交換器２４ａと第２室外熱交換器２４ｂとにより構成されており、接触する空気との間で熱交換を行う。第１室外熱交換器２４ａと第２室外熱交換器２４ｂとは、左右対称に機械室ＳＰ２の両側方に配置されている。第１室外熱交換器２４ａと第２室外熱交換器２４ｂとは、それぞれ平面視に置いて略Ｌ字状の形状を有しており、高さ方向には室外機３の底フレーム５４から天板５５までに亘って設けられている。第１室外熱交換器２４ａと第２室外熱交換器２４ｂとは、それぞれ長さ方向両側端で複数回折り返されてなる伝熱管と、伝熱管が挿通される複数のフィンとからなり、両側端の伝熱管の折り返し部分は、Ｕ字型の形状を有するＵ字管２４ｃにより形成されている（図６参照）。第１室外熱交換器２４ａは、室外機３内の正面視における左側に設けられており、室外機３の左側面の略全体と背面の左側の約４分の１を覆っている。第２室外熱交換器２４ｂは、室外機３内の右側に設けられており、室外機３の右側面の略全体と背面の右側の約４分の１を覆っている。第１室外熱交換器２４ａと第２室外熱交換器２４ｂとは、左右方向に間隔を隔てるように室外機３の側方から背面の一部にかけて設けられている。
【００２６】
プロペラファン２９は、室外機３の背面側の室外空間ＳＰ３から通風室ＳＰ１の室外熱交換器２４を通り室外機３の前方側へと吹き出す空気の流れを生成する。プロペラファン２９は、室外熱交換器２４に対して空気の流れの下流側に配置されており、前板５１のすぐ内側（後方）に配置されている。プロペラファン２９は、正面視において室外機３の略中央に配置されている（図５参照）。
【００２７】
室外ファンモータ３０はプロペラファン２９の後方に配置されており、室外ファンモータ３０の駆動軸３０ａにプロペラファン２９が取り付けられる。室外ファンモータ３０は、プロペラファン２９を回転駆動して上述の空気の流れを生成させる。室外ファンモータ３０は、後述する機械室ケーシング６１の前面部分６２ａに通風室ＳＰ１に面するように取り付けられており、正面視において室外機３の略中心に配置される（図５参照）。
【００２８】
〔機械室ケーシング及び機械室の内部の構成〕
（機械室ケーシング）
機械室ＳＰ２は、機械室ケーシング６１によって通風室ＳＰ１から仕切られている。この機械室ケーシング６１は、図３及び図４に示すように、側面部６２、底部６３及び天蓋６４によって構成されている。
【００２９】
側面部６２は、機械室ＳＰ２の前面、両側面及び背面を覆う部材であり、薄肉の金属板を曲げることによって形成されている。側面部６２は、室外機ケーシング５の底フレーム５４から天板５５までの距離と略同様の高さを有しており、機械室ＳＰ２は、室外機ケーシング５の底面から上面まで設けられている。側面部６２のうち機械室ＳＰ２の前面を覆う前面部分６２ａは、平坦になっており前板５１と略平行になっている。この前面部分６２ａの正面視における中心には、室外ファンモータ３０の後端が挿通される開口６２０が設けられている。また、この開口６２０の周囲は前面側に隆起しており、この隆起した部分に室外ファンモータ３０が螺子止めされる。室外機３においては、前方からプロペラファン２９、室外ファンモータ３０、機械室ＳＰ２が順に配置され、機械室ＳＰ２はプロペラファン２９の後方にプロペラファン２９に対向するように配置される。また、図３に示すように、側面部６２の両側面の後方には高さ方向に長い開口６２１が設けられている。そして、第１室外熱交換器２４ａと第２室外熱交換器２４ｂとの各側端がこの開口６２１に突入することにより、開口６２１が閉じられている。側面部６２の右側の上部にはスリットが設けられており、このスリットを通って後述する放熱フィン６５が機械室ＳＰ２から通風室ＳＰ１へと突出している。また、側面部６２の左側の内側の中央には、後述するリアクタ６６が取り付けられている。側面部６２の背面は、図４に示すように、その上端が内側に折り込まれており、機械室ケーシング６１の背面の上部には開口６２２が形成されている。機械室ケーシング６１は第１室外熱交換器２４ａと第２室外熱交換器２４ｂとの間に配置されているため、機械室ＳＰ２と室外機３の背面側の室外空間ＳＰ３とは、開口６２２と各室外熱交換器２４ａ，２４ｂの間の空間とを介して連通している。また、この開口６２２の内側には閉鎖弁２７，２８が設けられ、室内機２から延びる連絡冷媒配管３１，３２が、室外機３の背面側から開口６２２を通して閉鎖弁２７，２８に取り付けられる。
【００３０】
底部６３は、機械室ＳＰ２の底面を覆う部材であり、薄肉の金属板により構成されている。底部６３の上側には、圧縮機２１が螺子止めされる。底部６３は、側面部６２から突出する舌部６３０を有しており、舌部６３０が室外機ケーシング５の底フレーム５４に螺子止めされることにより、機械室ケーシング６１が室外機３に取り付けられる。
【００３１】
天蓋６４は、機械室ＳＰ２の上方を覆う樹脂製の部材であり、機械室ＳＰ２の上方から側面部６２に差し込まれ螺子止めされる。
（機械室の内部の構成）
機械室ケーシング６１の内部の機械室ＳＰ２には、圧縮機２１、四路切換弁２２（図６参照）、アキュムレータ２３、電動弁２５（図６参照）、リアクタ６６、制御基板６７、液閉鎖弁２７、ガス閉鎖弁２８などが収容される。
【００３２】
圧縮機２１とアキュムレータ２３とは、リアクタ６６の下方に配置される。アキュムレータ２３は、圧縮機２１の側面に固定されており、圧縮機２１は、機械室ケーシング６１の底部６３に固定される。圧縮機２１は、圧縮機用ワイヤハーネスによって制御基板６７に接続される。
四路切換弁２２は、圧縮機２１の上方に配置される（図６参照）。四路切換弁２２は、四路切換弁コイルを有しており、四路切換弁コイルは四路切換弁用ワイヤハーネスによって制御基板６７に接続される。
【００３３】
電動弁２５は、四路切換弁２２と共に圧縮機２１の上方に配置される（図６参照）。電動弁２５は電動弁コイルを有しており、電動弁コイルは、電動弁コイル用ワイヤハーネスによって制御基板６７に接続される。なお、電動弁２５に代えて、キャピラリ等の他の減圧装置が用いられてもよい。
リアクタ６６は、上述したように機械室ケーシング６１の側面部６２の内側に取り付けられ、リアクタ用ワイヤハーネスによって制御基板６７に接続される。
【００３４】
制御基板６７は、空気調和機１の制御を行うためのマイクロコンピュータチップや制御プログラムを格納するメモリなどの制御回路等がプリント基板に実装されたものであり、室内機２に配置される室内制御基板と共に空気調和機の制御を行う制御部を構成する。制御基板６７は、図３、図４及び図５に示すように高さ方向に平行な状態で機械室ＳＰ２に配置されている。なお、図５は、室外機３の正面断面図であり、図３及び図４と同様に、配管と配線とが省略されている。図４に示すように、制御基板６７は、特に前面に平行な状態で機械室ＳＰ２の上部に配置されている。制御基板６７は、機械室ケーシング６１の上方から差し込まれるようにして取り付けられる。また、制御基板６７には、実装された制御回路のうち発熱の大きな発熱部品６７０を冷却するための放熱フィン６５が設けられている。放熱フィン６５は、図３に示すように、側面部６２の右側面のスリットから通風室ＳＰ１へと突出する。放熱フィン６５と発熱部品６７０とは、Ｌ字状に折れ曲がった金属板６５１によって繋がれており、金属板６５１を介して発熱部品６７０の熱が放熱フィン６５に伝えられる。また、制御基板６７は、上述したように、リアクタ６６、圧縮機２１、四路切換弁２２及び電動弁２５と各ワイヤハーネスによって接続される他に、吐出管サーミスタ７１、熱交サーミスタ７２及び外気サーミスタ７３ともワイヤハーネスやリード線等によって接続される（図９参照）。吐出管サーミスタ７１は、圧縮機２１の吐出側の冷媒温度を検出して制御部へと送る。熱交サーミスタ７２は、室外熱交換器２４の冷媒温度を検出して制御部へと送る。外気サーミスタ７３は、室外温度を検出して制御部へと送る。
【００３５】
液閉鎖弁２７とガス閉鎖弁２８とは、機械室ＳＰ２に張り巡らされている内部冷媒配管の終端に設けられている。この液閉鎖弁２７とガス閉鎖弁２８とは、室内機２内の室内熱交換器１１と室外機３の冷媒回路構成部品とを連絡する連絡冷媒配管３１，３２が接続されるものである。液閉鎖弁２７とガス閉鎖弁２８とは、図３に示すように機械室ＳＰ２のうち背面側に設けられ、図４に示すように機械室ＳＰ２のうち上部に設けられている。機械室ＳＰ２は室外機３の左右方向の略中央の側面側に配置されているため、室外機３全体で見ると、液閉鎖弁２７とガス閉鎖弁２８とは、室外機ケーシング５の正面視における左右方向の略中央に配置されている。また、機械室ＳＰ２は、室外機ケーシング５の上面を構成する天板５５近傍まで設けられているため、液閉鎖弁２７とガス閉鎖弁２８とは、室外機３の上面の近傍に配置される。さらに、機械室ＳＰ２は、室外機ケーシング５の背面側に設けられているため、液閉鎖弁２７とガス閉鎖弁２８とは、室外機ケーシング５の背面近傍に配置される。
【００３６】
また、液閉鎖弁２７とガス閉鎖弁２８とは、背面側へと突出する突出部２７１，２８１をそれぞれ有している。突出部２７１，２８１には閉鎖弁２７，２８の内部へと繋がる接続口が設けられている。この突出部２７１，２８１の接続口に室内機２から延びる連絡冷媒配管３１，３２が差し込まれフレアナットが締め付けられることにより、連絡冷媒配管３１，３２が液閉鎖弁２７とガス閉鎖弁２８とにそれぞれ接続される。この突出部２７１，２８１は、図３及び図４のように、機械室ＳＰ２の背面側に設けられた開口６２２を通して室外機３の背面側の室外空間ＳＰ３に面しており、連絡冷媒配管３１，３２は、室外機３の背面側から室外熱交換器２４の間および開口６２２を通って機械室ＳＰ２に挿通されて、液閉鎖弁２７とガス閉鎖弁２８とにそれぞれ接続される。
【００３７】
図６に、機械室ＳＰ２に配置されている冷媒回路構成部品の配置と各冷媒回路構成部品を繋ぐ内部冷媒配管とを示す。なお、図６は、室外機３の正面断面図であるが、理解の容易のために、制御基板６７や配線等の記載を省略している。
液閉鎖弁２７は、電動弁２５に接続される内部冷媒配管の他端に設けられている。液閉鎖弁２７には、室内熱交換器１１の一端から延びる連絡冷媒配管３２が接続される。ガス閉鎖弁２８は、四路切換弁２２に接続される内部冷媒配管の他端に設けられている。ガス閉鎖弁２８には、室内熱交換器１１の他端から延びる連絡冷媒配管３１が接続される。また、第１室外熱交換器２４ａ及び第２室外熱交換器２４ｂの各側端の下端から突出する伝熱管２４１ａ，２４１ｂが内部冷媒配管により電動弁２５と接続され、側端の上端から突出する伝熱管２４２ａ，２４２ｂが内部冷媒配管により四路切換弁２２と接続されている。電動弁２５及び四路切換弁２２は、内部冷媒配管によりさらに圧縮機２１及びアキュムレータ２３と接続されている。これらの内部冷媒配管と各冷媒回路構成部品とはロウ付けされて固定されている。このように、機械室ＳＰ２には、冷媒回路構成部品と繋ぐ内部冷媒配管が複雑に張り巡らされている。
【００３８】
＜機械室モジュールの構成＞
この空気調和機１の室外機３では、室外機３の構成部品のうち、機械室ケーシング６１と機械室ＳＰ２内に配置される構成部品と室外ファンモータ３０とが一体的にまとめられてモジュール化されている。図７、図８及び図９に、機械室ケーシング６１と機械室ＳＰ２内に配置される構成部品と室外ファンモータ３０とがモジュール化された機械室モジュール８を示す。図７は、機械室モジュール８の正面図である。図８は、機械室モジュール８の平面断面図である。また、図９は、機械室モジュール８の構成を表すブロック図である。
【００３９】
詳細に説明すると、機械室モジュール８の構成部品は、機械室ケーシング６１、リアクタ６６、圧縮機２１、四路切換弁２２、アキュムレータ２３、電動弁２５、液閉鎖弁２７、ガス閉鎖弁２８、制御基板６７及、室外ファンモータ３０等であり、制御基板６７に接続される吐出管サーミスタ７１、熱交サーミスタ７２、外気サーミスタ７３も含まれる。また、図９に示すように、機械室モジュール８では、各構成部分が内部冷媒配管およびワイヤハーネスやリード線等によって接続されている。なお、図９においては、実線が内部冷媒配管を表し、破線がワイヤハーネスやリード線等の配線を表している。
【００４０】
この機械室モジュール８は、機械室ケーシング６１と機械室ＳＰ２内に配置される構成部品と室外ファンモータ３０とを上記の＜室外機の構成＞の欄で説明したように配置して、各構成を内部冷媒配管またはワイヤハーネスやリード線等によって接続することにより組み立てられる。そして、この機械室モジュール８は、室外機３の組立とは独立して組み立てられることが可能である。すなわち、この機械室モジュール８の組立は、室外機３の外部で行うことが可能であり、また、室外機３の組立に先立って行うことが可能となっている。
【００４１】
室外機３の組立を行う際には、機械室モジュール８は、図３に示すように、室外機３の正面視における左右方向の略中央であって、背面側に配置される。この室外機３では、第１室外熱交換器２４ａと第２室外熱交換器２４ｂとが、左右方向に間隔を隔てるように室外機３の背面側に配置されているため、機械室モジュール８は、第１室外熱交換器２４ａと第２室外熱交換器２４ｂとの間に配置される。また、室外ファンモータ３０にプロペラファンが取り付けられることにより、機械室モジュール８はプロペラファン２９に対向するようにその後方に配置される。機械室モジュール８がこのように室外機３に取り付けられることにより、上述したような室外機３の構成となる。
【００４２】
なお、図８においては、図３と同様に内部冷媒配管と配線とが省略されているが、実際には図６及び図９のように内部冷媒配管とワイヤハーネスやリード線等が設けられている。
＜組立工程＞
室外機３の組立工程は、図１０に示すように大きく２つに分けられる。一つは、機械室モジュール８の組立工程Ｓ１であり、もう１つは、機械室モジュール８以外の部品と予め組み立てられた機械室モジュール８とを取り付ける室外機本体の組立工程Ｓ２である。
【００４３】
機械室モジュール８の組立工程Ｓ１は、室外機３の組立に先立って室外機３の外部で行われる。機械室モジュール８の組立工程Ｓ１は、機械室ケーシング６１の組立Ｓ１０、構成部品の取付Ｓ１１、配管作業Ｓ１２、結線作業Ｓ１３等により構成される。構成部品の取付Ｓ１１では、機械室ケーシング６１に対して、リアクタ６６、圧縮機２１、四路切換弁２２、電動弁２５、ガス閉鎖弁２８、液閉鎖弁２７、制御基板６７、室外ファンモータ３０等が取り付けられる。配管作業Ｓ１２では、圧縮機２１、四路切換弁２２、電動弁２５、ガス閉鎖弁２８及び液閉鎖弁２７等の冷媒回路構成部品が内部冷媒配管によって繋がれロウ付けされる。結線作業Ｓ１３では、リアクタ６６、圧縮機２１、四路切換弁２２、電動弁２５、室外ファンモータ３０、吐出管サーミスタ７１、熱交サーミスタ７２及び外気サーミスタ７３と制御基板６７とがワイヤハーネス等によって接続される。なお、これらの機械室モジュール８の組立工程Ｓ１を構成する工程Ｓ１０，Ｓ１１，Ｓ１２，Ｓ１３は、上記以外の順番で行われてもよく、また、必ずしも各工程Ｓ１０，Ｓ１１，Ｓ１２，Ｓ１３ごとに行われなくてもよい。
【００４４】
室外機本体の組立工程Ｓ２は、室外機ケーシング５の組立Ｓ２０と、室外熱交換器２４の取付Ｓ２１と、機械室モジュール８の取付Ｓ２２、プロペラファン２９の取付Ｓ２３等により構成される。機械室モジュール８の取付では、室外機ケーシング５の底フレーム５４への機械室ケーシング６１の螺子止めや、各サーミスタ７１，７２，７３の取付、室外熱交換器２４への内部冷媒配管のロウ付け等が行われる。プロペラファン２９の取付Ｓ２３では、室外ファンモータ３０へのプロペラファン２９の取付等が行われる。なお、これらの室外機本体の組立工程Ｓ２を構成する工程Ｓ２０，Ｓ２１，Ｓ２２，Ｓ２３は、上記以外の順番で行われてもよく、また、必ずしも各工程Ｓ２０，Ｓ２１，Ｓ２２，Ｓ２３ごとに行われなくてもよい。
【００４５】
＜特徴＞
（１）
この空気調和機１の室外機３では、機械室ケーシング６１と、機械室ＳＰ２内に配置される構成部品と、室外ファンモータ３０とが一体的にまとめられてモジュール化されている。このため、機械室モジュール８を室外機本体の組立とは独立して組み立てることが可能となっている。従って、機械室モジュール８を予め組み立てておき室外機本体の組立の際に予め組み立てられた機械室モジュール８を取り付けることが可能である。これにより、室外機本体の組立工数が削減される。特に、この空気調和機１の室外機３では、機械室ＳＰ２に配置される構成部品だけではなく室外ファンモータ３０も機械室モジュール８に組み込まれているため、室外ファンモータ３０の取付、位置合わせ、結線作業等の工程が省略されており、室外機本体の組立工数がさらに削減されている。
【００４６】
また、上記の効果に伴い以下のような効果もある。
（ａ）結線作業の労力軽減
この室外機３では、制御基板６７と多くの構成部品とがワイヤハーネスやリード線等により結線されて接続される。従って、機械室モジュール８を予め組み立てておくことにより、室外機本体の組立時には、リアクタ６６、圧縮機２１、電動弁２５、四路切換弁２２、室外ファンモータ３０、吐出管サーミスタ７１、熱交サーミスタ７２、外気サーミスタ７３等と制御基板６７との結線作業が省略される。また、機械室モジュール８の組立時において、これらの結線の確認作業を合わせて行うことにより、室外機本体の組立時における結線の確認作業を省略することが可能となる。これにより、室外機本体の組立工程において、結線作業の労力が軽減される。
【００４７】
（ｂ）冷媒配管の取付及びロウ付け作業の労力軽減
この室外機３では、機械室ＳＰ２内の冷媒回路構成部品と室外熱交換器２４とが内部冷媒配管により接続される。これらの内部冷媒配管は、各冷媒回路構成部品に取り付けられ、取り付け箇所をロウ付けされることにより固定される。従って、機械室モジュール８を予め組み立てておくことにより、室外機本体の組立時には、圧縮機２１、電動弁２５、四路切換弁２２、閉鎖弁等への内部冷媒配管の取付及びロウ付け作業が省略される。これにより、室外機本体の組立工程において、内部冷媒配管の取付及びロウ付け作業の労力を軽減することができる。また、上記のロウ付け作業が省略されることにより、室外機本体の組立工程においてロウ付け量が減少する。このため、製造コストが削減される。
【００４８】
（ｃ）作業効率の向上
この室外機３では、機械室モジュール８を予め組立ておくことにより、室外機本体の組立工程においては、既に組み立てられた機械室モジュール８を取り付ければよい。従って、室外機本体の組立工程において作業効率が向上する。
また、機械室モジュール８を室外機３の外部で独立して組み立てることができるため、機械室モジュール８の組立の際に室外機３の他の構成部品が邪魔になることなく組立を行うことが可能である。このため、機械室モジュール８の組立工程においても作業効率が向上する。
【００４９】
従って、機械室モジュール８の組立と室外機本体の組立とを合わせた室外機３の組立工程全体としても作業効率が向上する。
（ｄ）室外機３の全体的なコストダウン
この室外機３では、機械室モジュール８の組立を独立して行うことができるため、機械室モジュール８の組立を加工費の安いメーカーで行わせることも可能である。また、機械室モジュール８の組立を加工費の安い国の工場で行うことも可能である。これにより、室外機３の全体のコストの削減が可能である。
【００５０】
（２）
一般に、空気調和機１の室外機３では、プロペラファン２９が配置される通風室ＳＰ１と機械室ＳＰ２とが室外機３の左右方向に並べて配置されることが多い。この場合、室外機３の左右方向の寸法は、少なくともプロペラファン２９と機械室ＳＰ２との分だけ必要となる。
【００５１】
しかし、この空気調和機１の室外機３では、機械室モジュール８が、室外機ケーシング５の左右方向の略中央であってプロペラファン２９の後方にプロペラファン２９に対向するように配置されている。このため、室外機３の左右方向の寸法が小さくなっている。
また、この空気調和機１の室外機３では、プロペラファン２９及び室外ファンモータ３０の後方に機械室ＳＰ２が配置される。このため、機械室ＳＰ２に配置される構成部品と室外ファンモータ３０とを一体的にモジュール化することができる。すなわち、プロペラファン２９と機械室ＳＰ２とが左右方向に並んで配置される場合には、室外ファンモータ３０と機械室ＳＰ２との距離が離れるため、室外ファンモータ３０を機械室ＳＰ２に配置される構成部品と共にモジュール化することが困難となる。しかし、この空気調和機１の室外機３では、プロペラファン２９及び室外ファンモータ３０の後方に機械室ＳＰ２が配置されるため、室外ファンモータ３０と機械室ＳＰ２との距離を短くすることができる。これにより、機械室ＳＰ２に配置される構成部品と室外ファンモータ３０とをモジュール化することが容易になっている。
【００５２】
（３）
この空気調和機１の室外機３では、機械室モジュール８は、間隔を隔てて配置される第１室外熱交換器２４ａと第２室外熱交換器２４ｂとの間に配置される。このため、機械室モジュール８が第１室外熱交換器２４ａと第２室外熱交換器２４ｂとを通る空気の妨げとなることが少なく、通風抵抗の悪化が防止されている。これにより、この空気調和機１の室外機３では、機械室モジュール８による熱交換効率の低下が防止されている。
【００５３】
（４）
この空気調和機１の室外機３では、室外ファンモータ３０は機械室ケーシング６１に直接に取り付けられる。このため、室外ファンモータ３０を機械室モジュール８に固定することが容易である。また、室外ファンモータ３０を取り付けるための特別の部品も不要であり、部品点数が削減されている。
【００５４】
（５）
この空気調和機１の室外機３では、制御基板６７が高さ方向に平行な状態で機械室ＳＰ２内に収容される。このため、制御基板６７を収容するために必要な機械室ＳＰ２の水平方向の面積が減少している。これにより、この空気調和機１の室外機３では、水平方向の寸法が小さくなっている。
【００５５】
また、制御基板６７は上方から機械室ケーシング６１に差し込むことにより取り付けられる。このため、制御基板６７の取り外しや取り付けが容易になっており、サービスメンテナンス時の利便性が向上している。
＜他の実施形態＞
（１）
上記の実施形態では、機械室モジュール８は、機械室ケーシング６１と、機械室ＳＰ２内に配置される構成部品と、室外ファンモータ３０とが一体的にまとめられてモジュール化されているが、モジュール化される構成部品は、上記のものに限られず、機械室ケーシング６１の一部または全部が除かれてもよい。また、機械室ＳＰ２内に配置される構成部品の一部がモジュール化される構成部品から除かれてもよく、逆に、モジュール化される構成部品が増えてもよい。
【００５６】
（２）
上記の実施形態では、機械室モジュール８は、室外機ケーシング５の略中央であって背面側に配置され、プロペラファン２９に対向するように配置されている。しかし、機械室モジュール８の配置はこれに限られるものではない。室外ファンモータ３０のモジュール化を容易にするという観点からは、機械室ケーシング６１の配置は上記の様にプロペラファン２９に対向するように配置されていることが望ましいが、室外ファンモータ３０の駆動をベルト等により伝達することによって、上記以外の配置であっても、室外ファンモータ３０を含めたモジュール化は可能である。
【００５７】
（３）
上記の実施形態では、室外熱交換器２４は、第１室外熱交換器２４ａと第２室外熱交換器２４ｂとに別れて設けられている。しかし、室外熱交換器２４は、第１室外熱交換器２４ａと第２室外熱交換器２４ｂとに分かれていなくてもよく、一体のものであってもよい。この場合、通風抵抗が多少大きくなるが、他の効果については上記と同様に奏することができる。
【００５８】
（４）
上記の実施形態では、室外ファンモータ３０は、機械室ケーシング６１に直接に取り付けられているが、取り付け具を介して取り付けられてもよい。
（５）
上記の実施形態では、制御基板６７は、室外機３の正面に平行な状態で配置されているが、室外機３の側面に平行な状態でもよい。すなわち、室外機３の水平方向の寸法を小さくするという点では、制御基板６７の配置は、高さ方向に平行であればよい。
【００５９】
（６）
上記の実施形態において、機械室モジュール８の組立工程Ｓ１に含まれる工程と室外機本体の組立工程Ｓ２に含まれる工程とは、多少入れ替わってもよい。例えば、上記の実施形態では、各種サーミスタ７１，７２，７３の制御基板６７への接続は機械室モジュール８の組立工程Ｓ１に含まれているが、室外機本体の組立工程Ｓ２に含まれてもよい。ただし、室外機本体の組立工程の削減という観点からは、機械室モジュール８の組立工程Ｓ１にできるだけ多くの工程が含まれることが望ましい。
【００６０】
【発明の効果】
請求項１に記載の空気調和機の室外機では、機械室に配置される機械室部品とファンを駆動するファンモータとがモジュール化されている。このため、機械室部品とファンモータとの組立を室外機本体の組立とは独立して機械室モジュールの組立として行うことができる。従って、ファンモータの取付やファンモータと機械室部品との結線作業等の工程を室外機の組立作業とは独立して行うことができる。これにより、この空気調和機の室外機では、室外機本体の組立工数をより削減することができる。
【００６１】
請求項２に記載の空気調和機の室外機では、機械室モジュールは、正面視における左右方向の略中央に配置される。従って、この空気調和機の室外機では、機械室が正面視における左右方向の略中央に設けられる。これにより、この空気調和機の室外機では、左右方向の寸法を小さくすることができる。
請求項３に記載の空気調和機の室外機では、機械室モジュールはファンに対向するように配置される。すなわち、この空気調和機の室外機では、ファンに対向する空間を、機械室が配置される空間として利用している。これにより、この空気調和機の室外機では、室外機の寸法を小さくすることができる。
【００６２】
請求項４に記載の空気調和機の室外機では、機械室モジュールは、間隔を隔てて配置される第１室外熱交換器と第２室外熱交換器との間に配置される。このため、機械室モジュールが各熱交換器を通る空気の妨げとなる恐れが低減する。これにより、この空気調和機の室外機では、機械室モジュールによる通風抵抗の増大を抑制することができる。
【００６３】
請求項５に記載の空気調和機の室外機では、ファンモータは仕切り部材に取り付けられる。このため、ファンモータを機械室モジュールに一体に固定することが容易となる。
請求項６に記載の空気調和機の室外機では、制御基板が高さ方向に平行な状態で機械室内に収容される。このため、制御基板を収容するために必要な機械室の水平方向の面積を小さくすることができる。これにより、この空気調和機の室外機では、水平方向の寸法を小さくすることができる。
【００６４】
請求項７に記載の空気調和機の室外機の組立方法では、予め組み立てられている機械室モジュールが取り付けられる。このため、室外機本体の組立の際に、機械室部品とファンモータとの取付や機械室部品とファンモータとを繋ぐ結線作業等を省略することができる。これにより、この空気調和機の室外機では、室外機本体の組立工数をより削減することができる。
【図面の簡単な説明】
【図１】空気調和機の外観図。
【図２】冷媒回路及びその他の構成を表す概略図。
【図３】室外機の平面断面図。
【図４】室外機の側面断面図。
【図５】室外機の正面断面図。
【図６】室外機の冷媒回路構成部品と内部冷媒配管を表す正面断面図。
【図７】機械室モジュールの正面図。
【図８】機械室モジュールの平面断面図。
【図９】機械室モジュールの構成を表すブロック図。
【図１０】室外機の組立工程を表す図。
【符号の説明】
１　　　　空気調和機
３　　　　室外機
８　　　　機械室モジュール
２１　　　圧縮機（機械室部品）
２２　　　四路切換弁（機械室部品）
２３　　　アキュムレータ（機械室部品）
２４ａ　　第１室外熱交換器
２４ｂ　　第２室外熱交換器
２５　　　電動弁（機械室部品）
２７　　　液閉鎖弁（機械室部品）
２８　　　ガス閉鎖弁（機械室部品）
２９　　　プロペラファン（ファン）
３０　　　室外ファンモータ（ファンモータ）
６１　　　機械室ケーシング（仕切り部材）
６６　　　リアクタ（機械室部品）
６７　　　制御基板（機械室部品）
ＳＰ１　　通風室
ＳＰ２　　機械室
【図１】
2004132626.tif 000003
【図２】
2004132626.tif 000004
【図３】
2004132626.tif 000005
【図４】
2004132626.tif 000006
【図５】
2004132626.tif 000007
【図６】
2004132626.tif 000008
【図７】
2004132626.tif 000009
【図８】
2004132626.tif 000010
【図９】
2004132626.tif 000011
【図１０】
2004132626.tif 000012